(57)【要約】【課題】  第１のデバイスの色信号を、第２のデバイスにおいて最適な色再現がなされる色信号に変換するための多次元ＬＵＴの色変換係数を決定する色変換係数作成方法および色変換係数作成装置を提供する。【解決手段】  第１のデバイスの再現保証色を第２のデバイスの対応する再現保証色で再現するための補正ベクトルを再現保証補正データ算出部３で算出し、その補正ベクトルで第１のデバイスのデバイス非依存色信号をデバイス非依存色信号補正部４で補正する。補正されたデバイス非依存色信号をもとに出力デバイス逆色予測部６で色変換係数を決定する。これにより、第１のデバイスの色再現をほぼ忠実に再現しつつ、再現保証色は第２のデバイスでも再現保証色で再現し、且つ、忠実に色再現する色と再現保証色との境界部分に階調の段差や階調逆転を生じないように色変換を行う多次元ＬＵＴの色変換係数を得ることができる。【選択図】  図１
2005269503.tif 000002
【特許請求の範囲】
【請求項１】
第１のデバイスのデバイス色信号から第２のデバイスのデバイス色信号へ変換するために使用する多次元テーブルの色変換係数を作成する色変換係数作成方法において、前記第１のデバイスにおける白色、１次色、２次色のいずれか１つまたは複数からなる再現保証色については前記第２のデバイスにおける対応する白色、１次色、２次色の再現保証色で再現し、且つ、前記第１のデバイスにおける色再現を前記第２のデバイスでできるだけ忠実に再現する部分と前記第１のデバイスにおける再現保証色を前記第２のデバイスにおける対応する再現保証色で再現する部分との境界におけるギャップや階調の逆転が発生しないように多次元テーブルの色変換係数を算出することを特徴とする色変換係数作成方法。
【請求項２】
第１のデバイスの墨を含むデバイス色信号から第２のデバイスの墨を含むデバイス色信号へ変換するために使用する多次元テーブルの色変換係数を作成する色変換係数作成方法において、前記第１のデバイスにおける白色、墨１００％、墨単色、１次色、２次色のいずれか１つまたは複数からなる再現保証色については前記第２のデバイスにおける対応する白色、墨１００％、墨単色、１次色、２次色の再現保証色で再現し、且つ、前記第１のデバイスにおける色再現を前記第２のデバイスでできるだけ忠実に再現する部分と前記第１のデバイスにおける再現保証色を前記第２のデバイスにおける対応する再現保証色で再現する部分との境界におけるギャップや階調の逆転が発生しないように多次元テーブルの色変換係数を算出することを特徴とする色変換係数作成方法。
【請求項３】
第１のデバイスのデバイス色信号から第２のデバイスのデバイス色信号へ変換するために使用する多次元テーブルの色変換係数を算出する色変換係数作成方法において、前記第１のデバイスにおける再現保証色について前記第２のデバイスにおける対応する再現保証色で再現するためにデバイス非依存色信号を補正する補正ベクトルを再現保証補正データ算出手段で算出し、前記第１のデバイスのデバイス色信号に対応するデバイス非依存色信号に対して前記補正ベクトルを適用して補正されたデバイス非依存色信号をデバイス非依存色信号補正手段で得て、補正されたデバイス非依存色信号をもとに前記第２のデバイスのデバイスモデルから多次元テーブルの色変換係数を色変換係数決定手段で決定するものであって、前記色変換係数の決定の際には、前記第１のデバイスにおける再現保証色については前記第２のデバイスにおける対応する再現保証色で再現し、且つ、前記第１のデバイスにおける色再現を前記第２のデバイスでできるだけ忠実に再現する部分と前記第１のデバイスにおける再現保証色を前記第２のデバイスにおける対応する再現保証色で再現する部分との境界におけるギャップや階調の逆転が発生しないように多次元テーブルの色変換係数を算出することを特徴とする色変換係数作成方法。
【請求項４】
第１のデバイスのデバイス色信号から第２のデバイスのデバイス色信号へ変換するために使用する多次元テーブルの色変換係数を算出する色変換係数作成方法において、第１のデバイスにおける再現保証色について第２のデバイスにおける対応する再現保証色で再現するためにデバイス非依存色信号を補正する補正ベクトルを再現保証補正データ算出手段で算出し、前記第１のデバイスのデバイスモデルを構成するデバイス非依存色信号に前記補正ベクトルを適用して補正されたデバイス非依存色信号をターゲットデバイスベースデータ補正手段で得て、前記補正されたデバイス非依存色信号を含む前記第１のデバイスのデバイスモデルと前記第２のデバイスのデバイスモデルから多次元テーブルの色変換係数を色変換係数決定手段で決定するものであって、前記色変換係数の決定の際には、前記第１のデバイスにおける再現保証色については前記第２のデバイスにおける対応する再現保証色で再現し、且つ、前記第１のデバイスにおける色再現を前記第２のデバイスでできるだけ忠実に再現する部分と前記第１のデバイスにおける再現保証色を前記第２のデバイスにおける対応する再現保証色で再現する部分との境界におけるギャップや階調の逆転が発生しないように多次元テーブルの色変換係数を算出することを特徴とする色変換係数作成方法。
【請求項５】
前記再現保証色は、白色、１次色、２次色のいずれか１つまたは複数であることを特徴とする請求項３または請求項４に記載の色変換係数作成方法。
【請求項６】
前記再現保証色は、白色、墨１００％、墨単色、１次色、２次色のいずれか１つまたは複数であることを特徴とする請求項３または請求項４に記載の色変換係数作成方法。
【請求項７】
前記再現保証色の要素は、あらかじめ定められているか、もしくは、ユーザーから指定されることを特徴とする請求項１ないし請求項６のいずれか１項に記載の色変換係数作成方法。
【請求項８】
前記補正ベクトルとして、前記第１のデバイスにおける再現保証色から所定距離以上離れている色に対して大きさ０の補正ベクトルを関連づけ、デバイス非依存色信号に対して該大きさ０の補正ベクトルについても適用して補正されたデバイス非依存色信号を得ることを特徴とする請求項３ないし請求項７のいずれか１項に記載の色変換係数作成方法。
【請求項９】
第１のデバイスのデバイス色信号から第２のデバイスのデバイス色信号へ変換するために使用する多次元テーブルの色変換係数を算出する色変換係数作成装置において、第１のデバイスにおける再現保証色について第２のデバイスにおける対応する再現保証色で再現するためにデバイス非依存色信号を補正する補正ベクトルを算出する再現保証補正データ算出手段と、前記再現保証補正データ算出手段で算出した前記補正ベクトルを前記第１のデバイスのデバイス色信号に対応するデバイス非依存色信号に適用するデバイス非依存色信号補正手段と、前記デバイス非依存色信号補正手段で補正されたデバイス非依存色信号をもとに前記第２のデバイスのデバイスモデルから多次元テーブルの色変換係数を決定する色変換係数決定手段を有し、前記色変換係数決定手段は、前記色変換係数の決定の際には、前記第１のデバイスにおける再現保証色については前記第２のデバイスにおける対応する再現保証色で再現し、且つ、前記第１のデバイスにおける色再現を前記第２のデバイスでできるだけ忠実に再現する部分と前記第１のデバイスにおける再現保証色を前記第２のデバイスにおける対応する再現保証色で再現する部分との境界におけるギャップや階調の逆転が発生しないように多次元テーブルの色変換係数を決定することを特徴とする色変換係数作成装置。
【請求項１０】
第１のデバイスのデバイス色信号から第２のデバイスのデバイス色信号へ変換するために使用する多次元テーブルの色変換係数を算出する色変換係数作成装置において、第１のデバイスにおける再現保証色について第２のデバイスにおける対応する再現保証色で再現するためにデバイス非依存色信号を補正する補正ベクトルを算出する再現保証補正データ算出手段と、前記再現保証補正データ算出手段で算出した前記補正ベクトルを前記第１のデバイスのデバイスモデルを構成するデバイス非依存色信号に適用するターゲットデバイスベースデータ補正手段と、前記ターゲットデバイスベースデータ補正手段で補正されたデバイス非依存色信号を含む前記第１のデバイスのデバイスモデルと前記第２のデバイスのデバイスモデルから多次元テーブルの色変換係数を決定する色変換係数決定手段を有し、前記色変換係数決定手段は、前記色変換係数の決定の際には、前記第１のデバイスにおける再現保証色については前記第２のデバイスにおける対応する再現保証色で再現し、且つ、前記第１のデバイスにおける色再現を前記第２のデバイスでできるだけ忠実に再現する部分と前記第１のデバイスにおける再現保証色を前記第２のデバイスにおける対応する再現保証色で再現する部分との境界におけるギャップや階調の逆転が発生しないように多次元テーブルの色変換係数を決定することを特徴とする色変換係数作成装置。
【請求項１１】
前記再現保証色は、白色、１次色、２次色のいずれか１つまたは複数であることを特徴とする請求項９または請求項１０に記載の色変換係数作成装置。
【請求項１２】
前記再現保証色は、白色、墨１００％、墨単色、１次色、２次色のいずれか１つまたは複数であることを特徴とする請求項９または請求項１０に記載の色変換係数作成装置。
【請求項１３】
前記再現保証色の要素は、あらかじめ定められているか、もしくは、ユーザーから指定されることを特徴とする請求項９ないし請求項１２のいずれか１項に記載の色変換係数作成装置。
【請求項１４】
再現保証補正データ算出手段は、前記第１のデバイスにおける再現保証色から所定距離以上離れている色に対して大きさ０の補正ベクトルを出力し、デバイス非依存色信号の補正に供することを特徴とする請求項９ないし請求項１３のいずれか１項に記載の色変換係数作成装置。
【請求項１５】
第１のデバイスのデバイス色信号から第２のデバイスのデバイス色信号へ変換するために使用する多次元テーブルの色変換係数を作成する色変換係数作成プログラムにおいて、請求項１ないし請求項８のいずれか１項に記載の色変換係数作成方法をコンピュータに実行させることを特徴とする色変換係数作成プログラム。
【請求項１６】
第１のデバイスのデバイス色信号から第２のデバイスのデバイス色信号へ変換するために使用する多次元テーブルの色変換係数を作成する色変換係数作成プログラムを格納したコンピュータが読取可能な記憶媒体において、請求項１ないし請求項８のいずれか１項に記載の色変換係数作成方法をコンピュータに実行させる色変換係数作成プログラムを格納したことを特徴とするコンピュータが読取可能な記憶媒体。
【発明の詳細な説明】
【技術分野】
【０００１】
本発明は、本発明は、第１の画像入出力デバイスのデバイス色信号から第２の画像出力デバイスのデバイス色信号へ変換するために使用する多次元テーブルの色変換係数を生成する技術に関するものである。
【背景技術】
【０００２】
近年、ゼログラフィ・プリンタやインクジェットプリンタなどを利用して実施する印刷シミュレーションが盛んになってきた。このような印刷シミュレーションを行うためには、印刷における色を、実際に用いるプリンタで再現されるように、色変換を行う必要がある。この色変換の技術の一つとして、多次元ルックアップテーブル（多次元ＬＵＴ）と補間を併用する方法がある。
【０００３】
このような印刷シミュレーションにおける色変換においては、例えば特許文献１に記載されているように、測色的一致による忠実な色再現と、再現する画像の質感やコントラストなどを保持するために印刷の墨（Ｋ）版の情報をできるだけ維持するＫ保存が重要である。また、再現する画像の質感やコントラストなどを保持するためには、印刷のＫ版の情報をできるだけ維持するだけでなく、色再現の忠実性は犠牲にしてでも印刷のＫ単色はプリンタでもＫ単色で再現したほうがよい場合がある。さらには、印刷とプリンタで使用するメディア（紙媒体）の違いにより「かぶり」と呼ばれる現象が発生したり、印刷のイエロー（Ｙ）単色などの比較的明るい色を色再現の忠実性を重視してプリンタで再現すると、プリンタ側では他のトナーやインクが混じってしまい、濁った色再現となり好まれない場合がある。
【０００４】
このような問題を解決する方法として、特許文献１、特許文献２、特許文献３などに記載されているように、印刷における白色をプリンタでも白色で再現し、印刷における単色をプリンタでも単色でするような色変換係数を算出する方法がある。これらの方法を使用して多次元ＬＵＴの色変換係数を決定すれば、印刷における白色をプリンタでも白色で再現して「かぶり」の発生を防止できる。また、印刷におけるＫ単色をプリンタでもＫ単色で再現でき、あわせて印刷の墨（Ｋ）版の情報をできるだけ維持することで、再現する画像の質感やコントラストなどを保持することが可能になる。
【０００５】
しかしながら、上述した特許文献１、特許文献２、特許文献３に記載されているいずれの方法も、条件を満たす多次元ＬＵＴのグリッドの出力色信号成分の一部または全部を、入力である印刷のデバイス色信号成分に等しくするという方法であり、多次元ＬＵＴのグリッドごとに入力である印刷のデバイス色信号成分の一部または全部を出力色信号成分と等しくするべきか否かを独立して決定している。そのため、ターゲットである印刷と出力デバイスであるプリンタとの特性の違い、すなわち、ここでは双方の白色の色差や、双方のＫに相当するインク（トナー）などの色度の違いや、双方の各有彩色インク（トナー）の色相や明度の違いが大きい場合は、多次元ＬＵＴにおける特定のグリッドの出力色信号のみが大きく補正されることになり、その特定のグリッドと隣り合うグリッドにおける出力色信号との整合が取れなくなってしまう。このような状況が発生した多次元ＬＵＴを使用して印刷シミュレーションを実施すると、再現された画像に擬似輪郭や階調の逆転などのディフェクトが発生してしまうという問題があった。
【０００６】
【特許文献１】特開２００２−１５２５４３号公報
【特許文献２】特表２００３−５０１８９７号公報
【特許文献３】特開２００２−３３０３０３号公報
【発明の開示】
【発明が解決しようとする課題】
【０００７】
本発明は、上述した事情に鑑みてなされたものであり、ターゲットとなる印刷などの第１のデバイスにおける色再現をプリンタ等の第２のデバイスでできるだけ忠実に再現しつつも、要求に応じて第１のデバイスにおける白色や単色などの再現保証色を第２のデバイスでも白色や単色で再現し、且つ、忠実に色再現する色と強制的に白色や単色で再現する色との境界部分に階調の段差や階調逆転を生じないように色変換を行う多次元ＬＵＴの色変換係数を決定する色変換係数作成方法および色変換係数作成装置を提供することを目的とするものである。またそのような色変換係数作成方法をコンピュータで実行するための色変換係数作成プログラムと、そのような色変換係数作成プログラムを格納した記憶媒体を提供することを目的とするものである。
【課題を解決するための手段】
【０００８】
本発明は、第１のデバイスのデバイス色信号から第２のデバイスのデバイス色信号へ変換するために使用する多次元テーブルの色変換係数を作成する色変換係数作成方法及び色変換係数作成装置において、第１のデバイスにおける白色、１次色、２次色あるいはさらに墨１００％、墨単色含む中のいずれか１つまたは複数からなる再現保証色については第２のデバイスにおける対応する白色、１次色、２次色あるいはさらに墨１００％、墨単色の再現保証色で再現し、且つ、第１のデバイスにおける色再現を第２のデバイスでできるだけ忠実に再現する部分と第１のデバイスにおける再現保証色を第２のデバイスにおける対応する再現保証色で再現する部分との境界におけるギャップや階調の逆転が発生しないように多次元テーブルの色変換係数を算出することを特徴とするものである。
【０００９】
このような多次元テーブルの色変換係数を作成するための一構成例として、第１のデバイスにおける再現保証色について第２のデバイスにおける対応する再現保証色で再現するためにデバイス非依存色信号を補正する補正ベクトルを再現保証補正データ算出手段で算出し、第１のデバイスのデバイス色信号に対応するデバイス非依存色信号に対して補正ベクトルを適用して補正されたデバイス非依存色信号をデバイス非依存色信号補正手段で得て、補正されたデバイス非依存色信号をもとに前記第２のデバイスのデバイスモデルから多次元テーブルの色変換係数を色変換係数決定手段で決定するように構成し、色変換係数決定手段で多次元テーブルの色変換係数を決定する際に、上述のようにして色変換係数を算出すればよい。
【００１０】
あるいは、別の構成例として、第１のデバイスにおける再現保証色について第２のデバイスにおける対応する再現保証色で再現するためにデバイス非依存色信号を補正する補正ベクトルを再現保証補正データ算出手段で算出し、第１のデバイスのデバイスモデルを構成するデバイス非依存色信号に補正ベクトルを適用して補正されたデバイス非依存色信号をターゲットデバイスベースデータ補正手段で得て、補正されたデバイス非依存色信号を含む第１のデバイスのデバイスモデルと第２のデバイスのデバイスモデルから多次元テーブルの色変換係数を色変換係数決定手段で決定するように構成し、色変換係数決定手段で多次元テーブルの色変換係数を決定する際に、上述のようにして色変換係数を算出してもよい。
【００１１】
なお、再現保証色の要素は、あらかじめ定められているか、もしくは、ユーザーから指定されるように構成することができる。
【００１２】
また補正ベクトルとして、第１のデバイスにおける再現保証色から所定距離以上離れている色に対して大きさ０の補正ベクトルを関連づけ、デバイス非依存色信号に対して該大きさ０の補正ベクトルについても適用して補正されたデバイス非依存色信号を得るように構成することができる。これにより再現保証色及びその近傍の色のみに補正をかけることができる。
【発明の効果】
【００１３】
本発明によれば、第１のデバイスにおける所定の再現保証色（白色、墨べた、１次色、２次色のいずれか、もしくは、その組み合わせ）は、第２のデバイスでも対応する再現保証色（白色、墨べた、１次色、２次色のいずれか、もしくは、その組み合わせ）で再現し、その他の色についてはできるだけターゲットデバイスに忠実に再現し、その再現保証色とその他の色との境界部分にあたる色の再現に階調の段差や階調の逆転が生じないように再現する多次元ＬＵＴの色変換係数を算出することができる。したがって、本発明により作成された色変換係数を設定した多次元ＬＵＴを使用し、既存の補間方法と併用してカラー画像に適用することで、例えば印刷などの第１のデバイスにおける再現保証色（白色、墨べた、１次色、２次色のいずれか、もしくは、その組み合わせ）は、例えばプリンタなどの第２のデバイスでも対応する再現保証色（白色、墨べた、１次色、２次色のいずれか、もしくは、その組み合わせ）で再現しつつ、所定の色とその他の色の境界近辺に階調の段差や逆転が生じない。これによって、良好な第１のデバイスのシミュレーションを第２のデバイスで実現することができるという効果がある。
【００１４】
さらに、第１のデバイスにおける再現保証色（白色、墨べた、１次色、２次色のいずれか、もしくは、その組み合わせ）を第２のデバイスでも対応する再現保証色（白色、墨べた、１次色、２次色のいずれか、もしくは、その組み合わせ）で再現するための補正対象を、第１のデバイスのベースデータとする構成によれば、グリッド数の多い多次元ＬＵＴを作成する場合において、補正のための処理時間の増大を低減することができるという効果がある。
【発明を実施するための最良の形態】
【００１５】
図１は、本発明の第１の実施の形態を示すブロック図である。図中、１はアドレスグリッド生成部、２はターゲットデバイス順色予測部、３は再現保証補正データ算出部、４はデバイス非依存色信号補正部、５は色域圧縮部、６は出力デバイス逆色予測部、７は色変換係数出力部である。以下の説明では、第１のデバイスに対応するターゲットデバイスを印刷機とし、第２のデバイスに対応する出力デバイスをＣＭＹＫプリンタとする。従って、色変換に用いる多次元ＬＵＴは、ＣＭＹＫ入力、ＣＭＹＫ出力の４次元ＬＵＴであるものとし、その色変換係数を決定する例について説明する。また、この色変換係数を作成する際には、デバイス非依存色信号に対して処理を行うものとし、そのデバイス非依存色信号としてＣＩＥＬＡＢ色信号を使用する。
【００１６】
アドレスグリッド生成部１は、多次元ＬＵＴのＣＭＹＫアドレスを生成する。ここでは、Ｃ，Ｍ，Ｙ，Ｋの各軸に等間隔の９つのグリッドを設定し、そのグリッドに相当するＣＭＹＫアドレスであるＣｉ，Ｍｉ，Ｙｉ，Ｋｉを順番に生成する。ＣＭＹＫアドレスは、各軸９つのグリッドを設けたので、ｉは１から６５６１（＝９×９×９×９）の値をとることになる。なお、各軸のグリッド数は目的に応じて自由に設定することが可能である。
【００１７】
ターゲットデバイス順色予測部２は、アドレスグリッド生成部１で生成されたＣＭＹＫアドレスであるＣＭＹＫ色信号を、デバイス非依存色信号であるＣＩＥＬＡＢ色信号に変換する。デバイス非依存色信号への変換には、ニューラルネットワークによるモデルを使用する方法や、回帰モデルを使用する方法、マトリクス変換による方法など、既存の手法を利用して変換することができる。具体例としては、特開平１０−２６２１５７号公報に記載されている重み付け線形回帰を用いた予測モデルを使用してターゲットデバイス色信号Ｃｉ，Ｍｉ，Ｙｉ，Ｋｉからデバイス非依存色信号であるＬｉ，ａｉ，ｂｉを予測することができる。この予測モデルによる色変換には、デバイス色信号であるＣＭＹＫと対応するデバイス非依存色信号ＣＩＥＬＡＢとの複数の組であるターゲットデバイスベースデータを必要とする。このターゲットデバイスベースデータは、ターゲットデバイスに依存するものであり、あらかじめ取得しておく。
【００１８】
再現保証補正データ算出部３は、あらかじめ定められた、もしくは、ユーザから指示されたターゲットデバイスの再現保証色を、それぞれ出力デバイスの再現保証色で再現するように、ターゲットデバイスにおけるデバイス非依存色信号を補正する補正ベクトルを算出する。この例では補正ベクトルを、始点となるＣＩＥＬＡＢ色信号と終点となるＣＩＥＬＡＢ色信号とで構成する。この始点となるＣＩＥＬＡＢ色信号は対応するターゲットデバイス色信号ＣＭＹＫと対応するものである。また再現保証色は、白色（Ｃ＝Ｍ＝Ｙ＝Ｋ＝０％）、墨べた（Ｃ＝Ｍ＝Ｙ＝０％，Ｋ＝１００％）、墨単色などの１次色や、２次色の純色のうちの１つあるいは複数である。
【００１９】
図２、図３は、墨（Ｋ）単色を再現保証色とする場合、図４、図５は、同じくイエロー（Ｙ）単色を再現保証色とする場合、図６、図７は、同じくレッド（Ｒ）純色を再現保証色とする場合の、それぞれ補正の概要と補正ベクトルの説明図である。図２には、Ｋ単色を再現保証色とする場合について、ターゲットデバイスにおけるＫ単色の軌跡を破線で示し、出力デバイスにおけるＫ単色の軌跡を実線で示している。このように、デバイスが異なると、Ｋ単色で再現しても測色値は異なっている場合が多い。再現保証補正データ算出部３では、Ｋ単色を再現保証色とする（Ｋ単色保証）場合には、まず、ターゲットデバイスのＫ単色に相当するＣＩＥＬＡＢ色信号と明度が等しい出力デバイスのＫ単色に相当するＣＩＥＬＡＢ色信号を算出する。例えば、図３に示すようなターゲットデバイスのＫ単色に対応するＣＭＹＫ色信号を作成して、これに相当するＣＩＥＬＡＢ色信号と明度が等しい出力デバイスのＫ単色に相当するＣＩＥＬＡＢ色信号を算出することができる。そして、元のターゲットデバイスのＫ単色に相当するＣＩＥＬＡＢ色信号を始点とし、算出した明度が等しい出力デバイスのＫ単色に相当するＣＩＥＬＡＢ色信号を終点とするベクトルを補正ベクトルとして算出する。このような補正ベクトルを、Ｋを適当に振って複数個算出し、図３に示すように、それぞれの補正ベクトルを再現保証補正データに追加する。
【００２０】
なお、図３及び後述する図５，図７に示した補正ベクトルは、始点となるＣＩＥＬＡＢ色信号と、対応する終点となるＣＩＥＬＡＢ色信号で構成した例を示している。しかしながら、本発明はこれに限定されるものではなく、ＣＩＥＬＡＢ色信号に対して所望の補正を適用することが可能な再現保証補正データであればどのような形式を採ってもよい。例えば、ターゲットデバイスのＣＭＹＫ色信号と、これに対応する補正データとの差分ベクトルを再現保証補正データとすることもできる。
【００２１】
この例では、ターゲットデバイスのＫ単色に相当するＣＩＥＬＡＢ色信号と明度が等しい出力デバイスのＫ単色に相当するＣＩＥＬＡＢ色信号を終点としたが、明度の代わりに濃度を用いてもよいし、また、適切に重みが付けられた色差やその他の既存の色差式などを使用して、その評価値が最小となるような出力デバイスのＫ単色に相当するＣＩＥＬＡＢ色信号を終点とする補正ベクトルを算出してもよい。
【００２２】
図４には、Ｙ単色を再現保証色とする場合について、ターゲットデバイスにおけるＹ単色の軌跡を破線で示し、出力デバイスにおけるＹ単色の軌跡を実線で示している。このようにＹ単色を再現保証色とする（Ｙ単色保証）場合には、まず、ターゲットデバイスのＹ単色に相当するＣＩＥＬＡＢ色信号と彩度が等しい出力デバイスのＹ単色に相当するＣＩＥＬＡＢ色信号を算出する。そして、元のターゲットデバイスのＹ単色に相当するＣＩＥＬＡＢ色信号を始点とし、算出した彩度が等しい出力デバイスのＹ単色に相当するＣＩＥＬＡＢ色信号を終点とするベクトルを補正ベクトルとして算出する。
【００２３】
このような補正ベクトルを、Ｙを適当に振って複数個算出し、図５に示すようにそれぞれの補正ベクトルを再現保証補正データに追加する。
【００２４】
この例では、ターゲットデバイスのＹ単色に相当するＣＩＥＬＡＢ色信号と彩度が等しい出力デバイスのＹ単色に相当するＣＩＥＬＡＢ色信号を終点としたが、彩度の代わりに明度を用いてもよいし、また、適切に重みが付けられた色差や既存の色差式などを使用して、その評価値が最小となるような出力デバイスのＹ単色に相当するＣＩＥＬＡＢ色信号を終点とする補正ベクトルを算出してもよい。また、図４、図５ではＹ単色の例を取り上げたが、他の１次色であるマゼンタ（Ｍ）単色やシアン（Ｃ）単色の場合も同様にしてターゲットデバイスのＣＭＹＫ色信号と対応する補正ベクトルの組を算出して再現保証補正データとすることができる。
【００２５】
図６には、Ｒ純色を再現保証色とする場合について、ターゲットデバイスにおけるＲ純色の軌跡を破線で示し、出力デバイスにおけるＲ純色の軌跡を実線で示している。また、出力デバイスにおけるＲ純色の軌跡を含むＷＹＲＭ外郭面を、ハッチングを施して示している。このようにＲ純色を再現保証色とする（Ｒ純色保証）場合には、まず、ターゲットデバイスのＲ純色（ＹとＭが等量で、Ｃが０％の色信号列）に相当するＣＩＥＬＡＢ色信号からの色差がもっとも小さくなる出力デバイスの色域外郭面上（ＷＹＲＭ外郭面上）のＣＩＥＬＡＢ色信号を算出する。そして、元のターゲットデバイスのＲ純色に相当するＣＩＥＬＡＢ色信号を始点とし、算出した色差がもっとも小さい出力デバイスの色域外郭面上のＣＩＥＬＡＢ色信号を終点とするベクトルを補正ベクトルとして算出する。
【００２６】
このような補正ベクトルを、Ｙ（＝Ｍ）を適当に振って複数個算出し、図７に示すようにそれぞれの補正ベクトルを再現保証補正データに追加する。
【００２７】
この例では、ターゲットデバイスのＲ純色に相当するＣＩＥＬＡＢ色信号との色差が最小となる出力デバイスの色域外郭上のＣＩＥＬＡＢ色信号を終点としたが、適切に重みが付けられた色差や既存の色差式などを使用して、その評価値が最小となるような出力デバイスの色域外郭上のＣＩＥＬＡＢ色信号を終点とする補正ベクトルを算出してもよい。また、図６、図７ではＲ純色の例を取り上げたが、他の２次色であるグリーン（Ｇ）純色やブルー（Ｂ）純色の場合も同様にしてターゲットデバイスのＣＭＹＫ色信号と対応する補正ベクトルの組を算出して再現保証補正データとすることができる。
【００２８】
また、ターゲットデバイスの白色（Ｃ＝Ｍ＝Ｙ＝Ｋ＝０％）を再現保証色とし、出力デバイスの白色で再現したい（白色再現保証）場合は、図２中のターゲットデバイスの白色（ＷＴ）に相当するＣＩＥＬＡＢ色信号を始点とし、出力デバイスの白色（ＷＯ）に相当するＣＩＥＬＡＢ色信号を終点とする補正ベクトルを算出して再現保証補正データに追加すればよい。なお、図３、図５、図７では、この補正ベクトルも含まれている。
【００２９】
さらに、ターゲットデバイスの墨べた（Ｃ＝Ｍ＝Ｙ＝０％，Ｋ＝１００％）を出力デバイスの墨べたで再現したい場合には、図２中のターゲットデバイスの墨べたに相当するＣＩＥＬＡＢ色信号（ＫＴ）を始点とし、出力デバイスの墨べたに相当するＣＩＥＬＡＢ色信号（ＫＯ）を終点とする補正ベクトルを算出して再現保証補正データに追加すればよい。
【００３０】
例えば、常に「白色再現保証」と「Ｋ単色保証」と「Ｙ単色保証」を有効にする場合には図３と図５に示す補正ベクトルの組からなる再現保証補正データを作成すればよい。また、例えば、ユーザからの指示により再現保証を行う要素を決定する場合には、ユーザから指示された再現保証色に相当する補正ベクトルの組からなる再現保証補正データを作成すればよい。
【００３１】
以上のようにして作成された再現保証補正データ中の補正ベクトルから一定距離以上離れているデバイス非依存色信号を複数抽出し、これらのデバイス非依存色信号を始点と終点に持つ大きさ０の補正ベクトルを作成する。ここでいう一定距離とは、デバイス非依存色空間における距離とする。すなわち、この例においてはＣＩＥＬＡＢ色空間における距離を指す。このような大きさ０の補正ベクトルを作成する方法としては、例えば、ＣＩＥＬＡＢの各軸を１０分割してできるＣＩＥＬＡＢ格子点群（１１×１１×１１＝１３３１個）に相当するＣＩＥＬＡＢ色信号を生成し、このそれぞれのＣＩＥＬＡＢ色信号が、単色（純色）保証を実現するための補正ベクトル、言い換えると、補正ベクトルの始点と終点を結ぶ線分から一定距離以上離れていれば、そのＣＩＥＬＡＢ色信号を始点と終点に持つ大きさ０の補正ベクトルを再現保証補正データとして追加する方法がある。もちろん、そのほかの方法を用いてもよい。このようにして、大きさ０の補正ベクトルを算出し、再現保証補正データに追加する。また、一定距離以上離れていれば大きさ０の補正ベクトルを追加し、さらに、一定距離から距離０までの間は、その距離に応じた大きさを持つ補正ベクトルを追加するように構成してもよい。
【００３２】
このようにして最終的に作成された再現保証補正データは、再現保証するべき補正元となるターゲットデバイスのＣＭＹＫデバイス色信号に相当するＣＩＥＬＡＢ色信号と補正先となるＣＩＥＬＡＢ色信号からなる補正ベクトルとの組と、補正する必要のない補正元となるターゲットデバイスのＣＭＹＫデバイス色信号に相当するＣＩＥＬＡＢ色信号を始点と終点に持つ大きさ０の補正ベクトルの組から構成される。
【００３３】
図１に戻り、デバイス非依存色信号補正部４は、ターゲットデバイス順色予測部２で予測されたデバイス非依存色信号に対して、再現保証のための補正を行う。まず、予測されたデバイス非依存色信号であるＬｉ，ａｉ，ｂｉに適用するべき補正ベクトルを、再現保証補正データ算出部３で算出した再現保証補正データとＬｉ，ａｉ，ｂｉから算出する。ここでは、再現保証補正データ中の補正データを構成する始点のＣＩＥＬＡＢ色信号と、対応する終点のＣＩＥＬＡＢ色信号をベースデータとして、例えば特開平１０−２６２１５７号公報に記載されている重み付け線形回帰を用いた予測モデルなどを使用して、Ｌｉ，ａｉ，ｂｉに予測モデルを適用し、補正後のデバイス非依存色信号Ｌ’ｉ，ａ’ｉ，ｂ’ｉを算出すればよい。これによって、階調の逆転が生じない補正後のデバイス非依存色信号Ｌ’ｉ，ａ’ｉ，ｂ’ｉを取得することができる。そして、同時に、この補正されたデバイス非依存色信号Ｌ’ｉ，ａ’ｉ，ｂ’ｉは、あらかじめ定められた、もしくは、ユーザが指示した再現保証を実現しているデバイス非依存色信号となる。
【００３４】
色域圧縮部５は、補正されたデバイス非依存色信号Ｌ’ｉ，ａ’ｉ，ｂ’ｉに対して、出力デバイスの色再現範囲に入っているか否かを判定し、入っていない場合は既存の方法で出力デバイスの色域外郭上にクリッピングしたり、出力デバイスの色域内部にマッピングしたりして、出力デバイスが再現できるデバイス非依存色信号Ｌ”ｉ，ａ”ｉ，ｂ”ｉに変換する。この色域圧縮方法としては、どのような公知の方法を使用してもよい。
【００３５】
出力デバイス逆色予測部６では、出力デバイスが再現できるデバイス非依存色信号Ｌ”ｉ，ａ”ｉ，ｂ”ｉとターゲットデバイスのデバイス色信号Ｋｉとから、できるだけターゲットデバイスのＫ量を保持したまま、できるだけ忠実にターゲットデバイスにおける色信号Ｃｉ，Ｍｉ，Ｙｉ，Ｋｉの色を出力デバイスで再現するカバレッジの組み合わせであるＣ’ｉ，Ｍ’ｉ，Ｙ’ｉ，Ｋ’ｉを予測する。このとき用いる予測方法についても、特に限定されるものではない。例えば、特許文献１に記載されているＫ保存逆色予測方法を使用してもよいし、特願２００２−２７１３２２号に記載されている総量規制に対応したＬＡＢＫ→ＣＭＹＫモデルを使用してもよい。
【００３６】
色変換係数出力部７は、出力デバイスのデバイス色信号であるＣ’ｉ，Ｍ’ｉ，Ｙ’ｉ，Ｋ’ｉを多次元テーブルとして利用できる形式で出力する。例えば、デバイスリンク・ＩＣＣプロファイルのようなデファクトスタンダードのプロファイルとして出力することができる。あるいは、例えば出力デバイスに組み込まれて使用される場合には、出力デバイス中の多次元ＬＵＴのパラメータとして保存したり、または直接設定してもよい。
【００３７】
以上説明したように、第１の実施の形態によれば、ターゲットデバイスにおける再現保証色（白色、墨べた、１次色、２次色のいずれか、もしくは、その組み合わせ）は、出力デバイスでも対応する再現保証色（白色、墨べた、１次色、２次色のいずれか、もしくは、その組み合わせ）で再現し、その他の色についてはできるだけターゲットデバイスに忠実に再現し、その再現保証色とその他の色との境界部分にあたる色の再現に階調の段差や階調の逆転が生じない再現をする多次元ＬＵＴの色変換係数を算出することができる。したがって、本発明により作成した色変換係数を適用した多次元ＬＵＴを使用して既存の補間方法と併用してカラー画像の色変換を行うことで、ターゲットデバイスにおける再現保証色（白色、墨べた、１次色、２次色のいずれか、もしくは、その組み合わせ）は、出力デバイスでも対応する再現保証色（白色、墨べた、１次色、２次色のいずれか、もしくは、その組み合わせ）で再現しつつ、再現保証色とその他の色の境界近辺に階調の段差や逆転が生じない良好なターゲットデバイスのシミュレーションを出力デバイスで実現することができる。
【００３８】
なお、上述の説明ではターゲットデバイスとして印刷機を、出力デバイスとしてプリンタを想定したが、これに限らず、ターゲットデバイス及び出力デバイスとも、任意の装置でよい。また、上述の説明ではＣＭＹＫ→ＣＭＹＫの変換を行う色変換係数を求めたが、例えばターゲットデバイス側がＲＧＢやＬＡＢなど、他の色信号であってもよいし、出力デバイス側も同様である。また、再現保証補正データを適用するデバイス非依存色信号もＣＩＥＬＡＢに限られるものではなく、ＣＩＥＬＵＶやＣＩＥＣＡＭ０２、ＩＰＴなど他のデバイス非依存色信号を使用してもよい。
【００３９】
図８は、本発明の第２の実施の形態を示すブロック図である。図中、図１と同様の部分には同じ符号を付して重複する説明を省略する。１１はターゲットデバイスベースデータ補正部である。この第２の実施の形態においても、第１のデバイスであるターゲットデバイスを印刷機とし、第２のデバイスである出力デバイスをＣＭＹＫプリンタとし、ＣＭＹＫ入力、ＣＭＹＫ出力の４次元ＬＵＴの色変換係数を決定する例について説明する。
【００４０】
再現保証補正データ算出部３は、上述の第１の実施の形態で述べた方法により補正ベクトルを算出し、再現保証補正データを作成する。この作成された再現保証補正データは、再現保証するべき補正元となるターゲットデバイスのＣＭＹＫデバイス色信号に相当するＣＩＥＬＡＢ色信号を始点とし、補正先となるＣＩＥＬＡＢ色信号を終点とする補正ベクトルの組と、補正する必要のないＣＩＥＬＡＢ色信号を始点と終点に持つ大きさ０の補正ベクトルの組から構成される。
【００４１】
ターゲットデバイスベースデータ補正部１１は、ターゲットデバイスのベースデータを構成するデバイス非依存色信号に対して、再現保証のための補正を行う。再現保証のための補正処理は、例えば特開平１０−２６２１５７号公報に記載されている重み付け線形回帰を用いた予測モデルを使用し、この予測モデルに使用するベースデータを構成するＣＩＥＬＡＢ色信号に対して行うことができる。またターゲットデバイスのベースデータは、順色予測によりＣＭＹＫからＬＡＢに変換するための予測モデルに使用するデータである。例えば、ターゲットデバイスのＣＭＹＫ色空間の全域に分布するＣＭＹＫ色信号と、このＣＭＹＫ色信号をターゲットデバイスによりメディアに出力して測定器により測色することで得られるＣＩＥＬＡＢ色信号との組から構成することができる。第２の実施の形態では、このベースデータ中のＣＩＥＬＡＢ色信号を再現保証補正データにより補正することとなる。
【００４２】
ただし、本発明においては他の方法によるデバイスモデル、例えば、ニューラルネットワークなどによる予測モデルにも適用することが可能である。この場合、シナプス結合の結合係数を学習するための教師データとなるデバイス非依存色信号に対して再現保証のための補正を行えばよい。
【００４３】
このターゲットデバイスのベースデータを補正する手順としては、ターゲットデバイスのベースデータを構成する複数のＣＭＹＫ色信号とＣＩＥＬＡＢ色信号との組に対して、各ＣＭＹＫ色信号とＣＩＥＬＡＢ色信号との組ごとに補正処理を実施して、補正対象であるＣＩＥＬＡＢ色信号を補正して行けばよい。
【００４４】
具体的には、対象となるＣＭＹＫ色信号とＣＩＥＬＡＢ色信号との組を、それぞれ、Ｃｊ，Ｍｊ，Ｙｊ，ＫｊとＬｊ，ａｊ，ｂｊとする。このとき、Ｌｊ，ａｊ，ｂｊに再現保証補正データ算出部３で算出した再現保証補正データを適用してＬｊ，ａｊ，ｂｊを補正する。例えば、再現保証補正データ中の補正ベクトルの始点であるＣＩＥＬＡＢ色信号と、対応する終点となるＣＩＥＬＡＢ色信号をベースデータとして、特開平１０−２６２１５７号公報に記載されている重み付け線形回帰を用いた予測モデルなどを使用して、Ｌｊ，ａｊ，ｂｊにこの予測モデルを適用し、補正後のデバイス非依存色信号Ｌ’ｊ，ａ’ｊ，ｂ’ｊを算出する。そして、対象となっているＣＭＹＫ色信号とＣＩＥＬＡＢ色信号との組のＣＩＥＬＡＢ色信号Ｌｊ，ａｊ，ｂｊをＬ’ｊ，ａ’ｊ，ｂ’ｊで置き換えればよい。これによって、ターゲットベースデータに対して再現保証補正データを適用することができ、補正ターゲットベースデータを算出することができる。
【００４５】
このようにして作成した補正ターゲットベースデータは、ターゲットデバイスの特性を持ちながらも、再現保証色（白色、墨べた、１次色、２次色のいずれかまたはその組み合わせ）については出力デバイスの特性を持ち、その再現保証色とその他の色との境界付近については両者の特性が連続的に変化するような特性を持つことになる。
【００４６】
アドレスグリッド生成部１は、多次元ＬＵＴのＣＭＹＫアドレスを生成する。ここでは上述の第１の実施の形態と同様に、ＣＭＹＫの各軸に等間隔のグリッドを設定するが、その数を１７とし、そのグリッドに相当するＣＭＹＫアドレスであるＣｋ，Ｍｋ，Ｙｋ，Ｋｋを順番に生成する。各軸とも１７のグリッドを設けたので、ｋは１から８３５２１（＝１７×１７×１７×１７）の値をとることになる。なお、各軸のグリッド数は目的に応じて自由に設定することが可能である。
【００４７】
ターゲットデバイス順色予測部２は、アドレスグリッド生成部１で生成されたＣＭＹＫアドレスであるＣＭＹＫ色信号をデバイス非依存色信号に変換する。ここではデバイス非依存色信号としてＣＩＥＬＡＢ色信号を使用するが、例えばＣＩＥＬＵＶやＣＩＥＣＡＭ０２、ＩＰＴなど、他のデバイス非依存色信号を使用してもよいことは第１の実施の形態と同様である。
【００４８】
また、デバイス非依存色信号への変換には、ニューラルネットワークによるモデルを使用する方法や回帰モデルを使用する方法、マトリクス変換による方法など既存の手法を利用して変換することができる。具体例としては、特開平１０−２６２１５７号公報に記載されている重み付け線形回帰を用いた予測モデルを使用して、ターゲットデバイス色信号Ｃｋ，Ｍｋ，Ｙｋ，Ｋｋからデバイス非依存色信号であるＬｋ，ａｋ，ｂｋを予測することができる。このとき、ターゲットデバイス順色予測部２における予測モデルによる色変換は、ターゲットデバイスベースデータ補正部１１で作成した補正ターゲットデバイスベースデータに基づいて実施することになる。
【００４９】
色域圧縮部５は、ターゲットデバイス順色予測部２において予測されたデバイス非依存色信号Ｌｋ，ａｋ，ｂｋに対して、出力デバイスの色再現範囲に入っているか否かを判定し、入っていない場合は既存の方法で出力デバイスの色域外郭上の色にクリッピングしたり、出力デバイスの色域内部の色にマッピングしたりして、出力デバイスが再現できるデバイス非依存色信号Ｌ’ｋ，ａ’ｋ，ｂ’ｋに変換する。この色域圧縮方法としては、どのような公知の方法を使用してもよい。なお、採用する色域圧縮方法によってはターゲットデバイスの色域外郭情報が必要になる場合があるが、その際には補正ターゲットデバイスベースデータに基づいて色域外郭情報を作成する必要がある。ベースデータに基づいて色域外郭情報を算出する方法としては、例えば、特開２００３−８９１２号公報に記載されている方法など、任意の方法を用いることができる。
【００５０】
出力デバイス逆色予測部６では、出力デバイスが再現できるデバイス非依存色信号Ｌ’ｋ，ａ’ｋ，ｂ’ｋとターゲットデバイスのデバイス色信号Ｋｋとから、できるだけターゲットデバイスのＫ量を保持したまま、できるだけ忠実にターゲットデバイスにおける色信号Ｃｋ，Ｍｋ，Ｙｋ，Ｋｋの色を出力デバイスで再現するカバレッジの組み合わせであるＣ’ｋ，Ｍ’ｋ，Ｙ’ｋ，Ｋ’ｋを予測する。この予測方法についても任意であり、特に限定されるものではない。例えば、特許文献１に記載されているＫ保存逆色予測方法を使用してもよいし、特願２００２−２７１３２２号に記載されている総量規制に対応したＬＡＢＫ→ＣＭＹＫモデルを使用してもよい。
【００５１】
色変換係数出力部７は、出力デバイスのデバイス色信号であるＣ’ｉ，Ｍ’ｉ，Ｙ’ｉ，Ｋ’ｉを多次元テーブルとして利用できる形式で出力する。例えば、デバイスリンク・ＩＣＣプロファイルのようなデファクトスタンダードのプロファイルとして出力することができる。あるいは、例えば出力デバイスに組み込まれて使用される場合には、出力デバイス中の多次元ＬＵＴのパラメータとして保存したり、または直接設定してもよい。
【００５２】
以上説明したように、この第２の実施の形態においても、上述の第１の実施の形態と同様、ターゲットデバイスにおける再現保証色は、出力デバイスでも対応する再現保証色で再現し、その他の色についてはできるだけターゲットデバイスに忠実に再現し、その再現保証色とその他の色との境界部分にあたる色の再現に階調の段差や階調の逆転が生じない再現をする多次元ＬＵＴの色変換係数を算出することができる。したがって、本発明により作成した色変換係数を適用した多次元ＬＵＴを使用して既存の補間方法と併用してカラー画像の色変換を行うことで、ターゲットデバイスにおける再現保証色は、出力デバイスでも対応する再現保証色で再現しつつ、再現保証色とその他の色の境界近辺に階調の段差や逆転が生じない良好なターゲットデバイスのシミュレーションを出力デバイスで実現することができる。
【００５３】
なお、この第２の実施の形態でも、上述の第１の実施の形態と同様の変形が可能である。
【００５４】
上述の第１及び第２の実施の形態では、多次元ＬＵＴの色変換係数を決定する方法を示した。本発明により作成された色変換係数を多次元ＬＵＴに適用することで、良好な色再現を実現することができる。この多次元ＬＵＴは、補間処理とともに用いられるが、補間方法としてはテトラヒドラ補間、キュービック補間など、任意の補間方法を用いることができる。
【００５５】
また、色変換時には多次元ＬＵＴとともに１次元ルックアップテーブル（１次元ＬＵＴ）との組み合わせて色変換を実施する場合もある。このような場合においても、本発明によって多次元ＬＵＴの色変換係数を決定することが可能である。
【００５６】
図９は、本発明の各実施の形態の機能をコンピュータプログラムで実現した場合におけるコンピュータプログラム及びそのコンピュータプログラムを格納した記憶媒体の一例の説明図である。図中、２１はプログラム、２２はコンピュータ、３１は光磁気ディスク、３２は光ディスク、３３は磁気ディスク、３４はメモリ、４１は光磁気ディスク装置、４２は光ディスク装置、４３は磁気ディスク装置である。
【００５７】
上述の各実施の形態で説明した各部の処理について、その一部または全部を、コンピュータにより実行可能なプログラム２１によって実現することが可能である。その場合、そのプログラム２１およびそのプログラムが用いるデータなどは、コンピュータが読み取り可能な記憶媒体に記憶することも可能である。記憶媒体とは、コンピュータのハードウェア資源に備えられている読取装置に対して、プログラムの記述内容に応じて、磁気、光、電気等のエネルギーの変化状態を引き起こして、それに対応する信号の形式で、読取装置にプログラムの記述内容を伝達できるものである。例えば、光磁気ディスク３１，光ディスク３２（ＣＤやＤＶＤなどを含む）、磁気ディスク３３，メモリ３４（ＩＣカード、メモリカードなどを含む）等である。もちろんこれらの記憶媒体は、可搬型に限られるものではない。
【００５８】
これらの記憶媒体にプログラム２１を格納しておき、例えばコンピュータ２２の光磁気ディスク装置４１，光ディスク装置４２，磁気ディスク装置４３，あるいは図示しないメモリスロットにこれらの記憶媒体を装着することによって、コンピュータからプログラム２１を読み出し、本発明の各実施の形態で説明した機能を実行することができる。あるいは、あらかじめ記憶媒体をコンピュータ２２に装着しておき、例えばネットワークなどを介してプログラム２１をコンピュータ２２に転送し、記憶媒体にプログラム２１を格納して実行させてもよい。
【００５９】
もちろん、一部の機能についてハードウェアによって構成することもできるし、すべてをハードウェアで構成してもよい。あるいは、他のソフトウェアの一部として組み込むことも可能である。また、例えば出力デバイスなど、他の装置の一部として組み込むことも可能である。
【００６０】
また、同様の記憶媒体に、本発明の各実施の形態に示した機能によって生成された色変換係数を格納しておくことができる。この格納されている色変換係数を使用時あるいは予め、コンピュータに読み取らせておき、当該色変換係数を適用した多次元ＬＵＴにより色変換処理を行うことができる。
【図面の簡単な説明】
【００６１】
【図１】本発明の第１の実施の形態を示すブロック図である。
【図２】墨（Ｋ）単色を再現保証色とする場合の補正の概要の説明図である。
【図３】墨（Ｋ）単色を再現保証色とする場合の補正ベクトル一例の説明図である。
【図４】イエロー（Ｙ）単色を再現保証色とする場合の補正の概要の説明図である。
【図５】イエロー（Ｙ）単色を再現保証色とする場合の補正ベクトルの一例の説明図である。
【図６】レッド（Ｒ）純色を再現保証色とする場合の補正の概要の説明図である。
【図７】レッド（Ｒ）純色を再現保証色とする場合の補正ベクトルの一例の説明図である。
【図８】本発明の第２の実施の形態を示すブロック図である。
【図９】本発明の各実施の形態の機能をコンピュータプログラムで実現した場合におけるコンピュータプログラム及びそのコンピュータプログラムを格納した記憶媒体の一例の説明図である。
【符号の説明】
【００６２】
１…アドレスグリッド生成部、２…ターゲットデバイス順色予測部、３…再現保証補正データ算出部、４…デバイス非依存色信号補正部、５…色域圧縮部、６…出力デバイス逆色予測部、７…色変換係数出力部、１１…ターゲットデバイスベースデータ補正部、２１…プログラム、２２…コンピュータ、３１…光磁気ディスク、３２…光ディスク、３３…磁気ディスク、３４…メモリ、４１…光磁気ディスク装置、４２…光ディスク装置、４３…磁気ディスク装置。
【図１】
2005269503.tif 000003
【図２】
2005269503.tif 000004
【図３】
2005269503.tif 000005
【図４】
2005269503.tif 000006
【図５】
2005269503.tif 000007
【図６】
2005269503.tif 000008
【図７】
2005269503.tif 000009
【図８】
2005269503.tif 000010
【図９】
2005269503.tif 000011